(57)【要約】【課題】子供のいたずらや操作ミスで追い焚きの要求が何度も押されると、風呂の温度は徐々に高くなり、風呂の湯水温度が設定温度以上に沸き上げってしまう。【解決手段】追い焚きサーミスタ１０によりその湯水温度が所定温度に達したときに、追い焚き運転を停止し、その時に制御手段５内に搭載されている追い焚き禁止タイマーを起動させ、制御手段５はその追い焚き禁止タイマーの起動から１５分を経過するまでの期間を受付禁止時間帯とし、受付禁止時間帯内では操作手段６にて追い焚きの指示をしても受け付けないようにする。【選択図】図１
2007278651.tif 000002
【特許請求の範囲】
【請求項１】
貯湯タンクと、前記貯湯タンクの湯水を加熱する加熱手段と、前記貯湯タンクの湯水と風呂水とを熱交換して風呂追い焚き運転を行う熱交換器と、風呂追い焚き運転の開始を指示する操作手段とを備える給湯装置であって、前記風呂追い焚き運転終了時から所定時間が経過するまでを受付禁止時間帯とし、前記受付禁止時間帯内では追い焚き運転の要求を受け付けない給湯装置。
【請求項２】
熱交換器により加熱される風呂水温度を測定する追い焚きサーミスタを設け、前記追い焚きサーミスタが所定温度以下を測定したとき、受付禁止時間帯であっても追い焚き運転の要求を受け付ける請求項１記載の給湯装置。
【請求項３】
外気温度を測定する外気温度検出手段を設け、前記外気温度検出手段による外気温度が低いほど、受付禁止時間帯を延長するように設定する請求項１または２記載の給湯装置。
【発明の詳細な説明】
【技術分野】
【０００１】
本発明は、風呂の追い焚き運転を行う給湯装置に関するものである。
【背景技術】
【０００２】
従来のこの種の給湯装置は、追い焚き運転において風呂に追い焚きが必要な状況から、追い焚き運転のスタート時、風呂に供給されるお湯の温度は設定温度に対して１０数℃以上高い温度に加熱されたお湯が浴槽に供給され、そして浴槽から戻ってくるお湯の温度を確認して、風呂お湯を供給するのか止めるのかを判断していた（例えば、特許文献１参照）。
【特許文献１】実開昭６０−１８８９５５号公報
【発明の開示】
【発明が解決しようとする課題】
【０００３】
しかしながら、上記従来の構成では、風呂配管の長さを考慮すると、風呂から戻ってくるお湯の温度を確認するまでに数十秒以上時間がかかり、子供のいたずらや操作ミスで追い焚きの要求が何度も押されると、風呂の温度は徐々に高くなり、風呂の湯水温度が設定温度以上に沸き上げってしまうという課題があった。
【課題を解決するための手段】
【０００４】
前記従来の課題を解決するために、本発明の給湯装置は、貯湯タンクと、前記貯湯タンクの湯水を加熱する加熱手段と、前記貯湯タンクの湯水と風呂水とを熱交換して風呂追い焚き運転を行う熱交換器と、風呂追い焚き運転の開始を指示する操作手段とを備える給湯装置であって、前記風呂追い焚き運転終了時から所定時間が経過するまでを受付禁止時間帯とし、前記受付禁止時間帯内では追い焚き運転の要求を受け付けないように構成した。
【発明の効果】
【０００５】
本発明の給湯装置は、受付禁止時間を持たすことで、追い焚きが何度も押され、風呂の温度は徐々に高くなるという課題を防止することができる。
【発明を実施するための最良の形態】
【０００６】
第１の発明は、貯湯タンクと、前記貯湯タンクの湯水を加熱する加熱手段と、前記貯湯タンクの湯水と風呂水とを熱交換して風呂追い焚き運転を行う熱交換器と、風呂追い焚き運転の開始を指示する操作手段とを備える給湯装置であって、前記風呂追い焚き運転終了時から所定時間が経過するまでを受付禁止時間帯とし、前記受付禁止時間帯内では追い焚き運転の要求を受け付けないようにしたものである。
【０００７】
これによって、受付禁止時間の間は、追い焚きスイッチが何度押されても、追い焚きを受け付けないので、風呂の温度が徐々に高くなっていくことを防止することができる。
【０００８】
第２の発明は、特に第１の発明において、熱交換器により加熱される風呂水温度を測定する追い焚きサーミスタを設け、追い焚きサーミスタが所定温度以下を測定したとき、受付禁止時間帯であっても追い焚き運転の要求を受け付けるようにしたものである。
【０００９】
これによって、前回追い焚きした時の風呂の温度を覚えていることによって、必要なとき、つまり設定温度に達していないのに追い焚きの指示を解除してしまったのに、追い焚きが行えなくなるなどの操作ミスの時にも迅速に追い焚きができるようになる。また風呂の追い焚きを行い、風呂の温度が十分に高いと判断できる時には追い焚きを行わないなど
の判断ができる。
【００１０】
第３の発明は、特に、第１または第２の発明において、外気温度を測定する外気温度検出手段を設け、前記外気温度検出手段による外気温度が低いほど、受付禁止時間帯を短縮するように設定するものである。
【００１１】
これによって、外気温の低いときには風呂の温度がさめやすいので受付禁止時間を短くし、実際の使用時により即した受付禁止時間にできる。
【００１２】
以下、本発明の実施の形態について、図面を参照しながら説明する。なお、この実施の形態によって本発明が限定されるものではない。
【００１３】
（実施の形態１）
図１は、本発明の第１の実施の形態における貯湯式給湯器の構成図を示し、図２はその時のシーケンスを示すものである。
【００１４】
図１において、１は貯湯タンクで給水管２から水が供給される。貯湯タンク１に供給された水は加熱手段３によって高温のお湯になる。加熱手段３はシーズヒーターを用いる。貯湯タンク１に貯えられた高温のお湯は貯湯タンク１上部から給湯する。その高温のお湯は、カラン１３が開けられたとき、給湯混合弁１４によって給水管２からの低温水道水と混合することにより希望の温水温度に調整され出湯される。また貯湯タンク１上部の高温のお湯は、風呂混合弁１５で給水管２からの低温水道水と混合することにより希望の温水温度に調整され、逆止弁１６を通って風呂１２に出湯される。
【００１５】
風呂１２の湯水に対して追い焚きを行う場合は、貯湯タンク１上部の高温のお湯を追い焚きポンプ７を用いて熱交換器４で熱交換し、熱交換されたぬるいお湯は貯湯タンク１下部に導かれる。一方、風呂１２のお湯は風呂ポンプ９を用いて熱交換器４で高温のお湯となり、再び風呂１２に導かれる。
【００１６】
８は風呂１２の戻りの湯温を測定する風呂サーミスタで、１０は風呂１２に出湯される湯の温度をコントロールするための追い焚きサーミスタである。そして、制御手段５は操作手段６により入力される追い焚き設定温度と、風呂サーミスタ８と追い焚きサーミスタ１０との測定温度差に応じて、追い焚きポンプ７と風呂ポンプ９の回転数を制御している。
【００１７】
以上のように構成された給湯装置について、以下その動作を説明する。まず、風呂１２にお湯が張られた後に操作手段６にて追い焚きを指示すると、その指示が制御手段５に伝えられ、風呂ポンプ９と追い焚きポンプ７が駆動される。そして、熱交換器４で高温になったお湯は風呂１２に導かれ風呂１２の温度は上昇するが、追い焚きサーミスタ１０によりその湯水温度が操作手段６により入力される追い焚き設定温度よりも２ケルビン高くなったときに追い焚きを停止する。
【００１８】
この追い焚きを停止したときに、図２のように制御手段５内に搭載されている追い焚き禁止タイマーを起動させ、制御手段５はその追い焚き禁止タイマーの起動から１５分を経過するまでの期間を受付禁止時間帯とし、受付禁止時間帯内では操作手段６にて追い焚きの指示をしても受け付けないようにする。なお、本実施の形態では受付禁止時間帯を１５分としたが、この設定時間は本実施の形態の要旨を変更しない限り、任意の値に設定できるものとする。
【００１９】
以上のように、本実施の形態によれば、受付禁止時間帯内は追い焚きを受け付けないの
で風呂１２の温度が不用意に上昇することはなくなる。
【００２０】
（実施の形態２）
本発明の第１の実施の形態における貯湯式給湯器の図は実施の形態１に示すものと同じでありそのシーケンスについては図３にて示す。
【００２１】
以上のように構成された給湯装置について、以下その動作を説明する。まず、風呂１２にお湯が張られた後に操作手段６にて追い焚きを指示すると、その指示が制御手段５に伝えられ、風呂ポンプ９と追い焚きポンプ７が駆動される。熱交換器４で高温になったお湯は風呂１２に導かれ風呂１２の温度は上昇する。その風呂の温度が所定の温度（例えば、操作手段６により入力される追い焚き設定温度よりも２ケルビン高い温度）になったときに追い焚きを停止する。
【００２２】
この追い焚きを停止したときに制御手段５は実施に形態１と同様に追い焚き禁止タイマーを起動させ、制御手段５はその追い焚き禁止タイマーの起動から１５分を経過するまでの期間を受付禁止時間帯とし、受付禁止時間帯内では操作手段６にて追い焚きの指示をしても受け付けないようにする。
焚き焚き
ただし、追い焚き終了時であって受付禁止時間帯内において、風呂サーミスタ１０による測定温度が焚き焚き焚き設定温度以下であれば、受付禁止時間帯内であっても追い焚きの指示を受け付け、焚き焚き焚き追い焚きを行うようにする。
【００２３】
このようにすることによって、制御手段５に記憶されていた風呂１２の温度の状態で風呂の追い焚きの指示を禁止タイマー中でも受け付けることができるため、使用者の誤操作で追い焚きができなくなることが防げる。
【００２４】
（実施の形態３）
本発明と実施の形態１、２との相違点は追い焚き禁止タイマーの判断材料として外気温を検出する外気温検出手段１１を設けたことである。外気温を検出することによって、冬の寒いとき（外気温１５℃以下）にはお風呂のお湯が冷めるのが早いため受付禁止時間帯焚きを５分に、外気温が１６℃〜２５℃までは受付禁止時間帯を１０分に、それ以上の場合は受付禁止時間帯を１５分にと設定することによって、風呂の温度の下がり方に対して適切な追い焚き禁止タイマーの時間を設定することができる。
【００２５】
また、本明細書における実施例では加熱手段をヒーターにしているが、加熱手段はヒーターに限定するものではなく、例えばヒートポンプ給湯機であってもガス給湯機であっても本発明の効果を達成し、本発明の範囲を逸脱することなく種々の変形又は修正が可能である。
【産業上の利用可能性】
【００２６】
以上のように、本発明にかかる給湯装置は、受付禁止時間を持たすことで、追い焚きが何度も押され、風呂の温度は徐々に高くなるという課題を防止することができることで、業務用温水器や家庭用給湯機などにも利用できる。
【図面の簡単な説明】
【００２７】
【図１】本発明の実施の形態１における貯湯式給湯器の構成図
【図２】本発明の実施の形態１における貯湯式給湯器のシーケンス図
【図３】本発明の実施の形態２における貯湯式給湯器のシーケンス図
【符号の説明】
【００２８】
１  貯湯タンク
２  給水管
３  加熱手段
４  熱交換器
５  制御手段
６  操作手段
７  追い焚きポンプ
８  風呂サーミスター
９  風呂ポンプ
１０  追い焚きサーミスタ
１１  外気温検出手段
１２  風呂
１３  カラン
１４  カラン混合弁
１５  風呂混合弁
１６  逆止弁
【図１】
2007278651.tif 000003
【図２】
2007278651.tif 000004
【図３】
2007278651.tif 000005